(57)【要約】      （修正有）【課題】シート板に肌見本素材を複数枚貼付しておき、その中から最も「心地よい」と感じる指先感触の肌見本素材を選んでもらい、その肌見本素材に最適な化粧品を顧客に推奨するためのカウンセリングツールとなる、店頭カウンセリング用シートを提供する。【解決手段】シート板２の表面に、複数の肌見本素材３を備え、肌見本素材が紙製素材で構成され、各肌見本素材が離型紙４に設置され、当該離型紙がシート板に剥離自在に設置され、肌見本素材が、しっとり感からサラサラ感を段階的に提示するようになっており、しっとり感からサラサラ感を段階的に提示するため、各肌見本素材の摩擦係数を異ならせたことを特徴とする。【選択図】図１
0003113876.tif 000002
【実用新案登録請求の範囲】
【請求項１】
シート板の表面に、複数の肌見本素材を備えることを特徴とする店頭カウンセリング用シート。
【請求項２】
肌見本素材が紙製素材で構成されていることを特徴とする請求項１記載の店頭カウンセリング用シート。
【請求項３】
肌見本素材が紙製素材で構成され、各肌見本素材が離型紙に設置され、当該離型紙がシート板に剥離自在に設置されていることを特徴とする請求項１又は２記載の店頭カウンセリング用シート。
【請求項４】
肌見本素材が、しっとり感からサラサラ感を段階的に提示するようになっていることを特徴とする請求項１乃至３の何れかに記載の店頭カウンセリング用シート。
【請求項５】
肌見本素材が、しっとり感からサラサラ感を段階的に提示するため、各肌見本素材の平均摩擦係数を異ならせたことを特徴とする請求項１乃至４の何れかに記載の店頭カウンセリング用シート。
【請求項６】
肌見本素材が、ベージュ色を呈することを特徴とする請求項１乃至５の何れかに記載の店頭カウンセリング用シート。
【請求項７】
肌見本素材が、その各一辺が３〜８センチメートルの矩形状素材であることを特徴とする請求項１乃至６の何れかに記載の店頭カウンセリング用シート。
【考案の詳細な説明】
【技術分野】
【０００１】
本考案は、シート板に肌見本素材を複数枚貼付しておき、その中から最も「心地よい」と感じる指先感触の肌見本素材を選んでもらい、その肌見本素材に最適な化粧品を顧客に推奨するためのカウンセリングツールとなる、店頭カウンセリング用シートを得ることを目的とする。
【背景技術】
【０００２】
従来、店頭カウンセリング用シートとして、複数の肌見本素材を備えたものは見当たらない。
従来から、化粧品販売の現場では、専門の販売員（カウンセラー）が店頭などで、顧客の肌の状態や要望を聞きながら、あらかじめ用意された店頭カウンセリング用シートを利用して、その顧客に合った化粧品を選んで推奨することが行なわれ、これにより顧客も安心して化粧品を購入することができるようになっている。
【０００３】
最近、肌の「センサー機能（感知能力のことで、肌感性とも称される）」が着目されてきた。
すなわち、肌には、脳（＝心）へ感覚神経を介して感性を伝達する、肌の「センサー機能」が備えられていることが知られている。
また化粧品の肌への効能は、化粧品の直接的な肌への効果に加えて、上記の肌感性を利用することで、顧客本人の内面から全身をめぐる活力が生まれ、それにより「活き活きと輝く肌」に導くという、相乗効果が生まれる。
【０００４】
【特許文献１】特開２００１−１６６８号公報
【考案の開示】
【考案が解決しようとする課題】
【０００５】
上記特許文献１に記載された店頭カウンセリング用シートは、顧客の肌に対する意識を４つに区分し、各カテゴリーごとに、そのカテゴリーに属する化粧品を、各区分された各肌意識に基づいて推奨すべき化粧品ごとにくくり、顧客の選択した肌意識を基準に、あらかじめ決められた化粧品を推奨するものである。
【０００６】
このような従来の店頭カウンセリング用シートは、顧客との対話の中で、対面するカウンセラーが自己の判定基準に基づき、勝手に顧客の肌意識を観察して決定するものであり、当該顧客にとって、最も心地よい肌感触を伝えることができるわけではないため、ややもすると最適ではない化粧品が推奨される等の問題点があった。
【０００７】
さらには、上記した肌感性による、化粧品の相乗効果を期待することもできないという問題点もあった。
本考案は、上記の全ての問題点を解消して、顧客に、シート板に貼付した複数の肌見本素材の中から最も「心地よい」と感じる指先感触の肌見本素材を選んでもらい、その肌見本素材に最適な化粧品を顧客に推奨して、当該顧客にとって、最も心地よいと感じる肌感触に最適の化粧品を選択できる店頭カウンセリング用シートを提供せんとするものである。
【課題を解決するための手段】
【０００８】
上記目的を達成するために、請求項１記載の考案は、シート板の表面に、複数の肌見本素材を備えることを特徴とする店頭カウンセリング用シートである。
【０００９】
請求項２記載の考案は、肌見本素材が紙製素材で構成されていることを特徴とする請求項１記載の店頭カウンセリング用シートである。
【００１０】
請求項３記載の考案は、肌見本素材が紙製素材で構成され、各肌見本素材が離型紙に設置され、当該離型紙がシート板に剥離自在に設置されていることを特徴とする請求項１又は２記載の店頭カウンセリング用シートである。
【００１１】
請求項４記載の考案は、肌見本素材が、しっとり感からサラサラ感を段階的に提示するようになっていることを特徴とする請求項１乃至３の何れかに記載の店頭カウンセリング用シートである。
【００１２】
請求項５記載の考案は、肌見本素材が、しっとり感からサラサラ感を段階的に提示するため、各肌見本素材の平均摩擦係数を異ならせたことを特徴とする請求項１乃至４の何れかに記載の店頭カウンセリング用シートである。
【００１３】
請求項６記載の考案は、肌見本素材が、ベージュ色を呈することを特徴とする請求項１乃至５の何れかに記載の店頭カウンセリング用シートである。
【００１４】
請求項７記載の考案は、肌見本素材が、その各一辺が３〜８センチメートルの矩形状素材であることを特徴とする請求項１乃至６の何れかに記載の店頭カウンセリング用シートである。
【考案の効果】
【００１５】
以上述べたように、請求項１の店頭カウンセリング用シートによれば、各肌見本素材ごとに、その肌見本素材に対応した最適な化粧品が予めリストアップされているので、カウンセラーはそれに従い、その肌見本素材に最適な化粧品を顧客に推奨できるという効果がある。
【００１６】
また請求項２の店頭カウンセリング用シートによれば、肌見本素材を紙製素材としたので、布製のものなどと比較して、材料調達コストが低廉となり、シート板への取り付けも容易となり、かつ顧客は布製のものだと長時間触っている状態がかもし出されやすいが、紙製であるためそのような顧客の対応もなくなり、この意味で扱いやすいという効果がある。
【００１７】
さらに請求項３の店頭カウンセリング用シートによれば、肌見本素材が離型紙を介してシート板に取り付けられるので、何度も使用されて、肌見本素材に汚れなどが目立つようになった際には、離型紙ごとまとめて肌見本素材を簡単に新品のものと交換設置することが可能となる効果がある。
【００１８】
さらに請求項４の店頭カウンセリング用シートによれば、肌見本素材が、しっとり感からサラサラ感を段階的に提示するようになっているので、きめ細かい肌感性による差別化を図ることができ、化粧品の推奨に際し、より適切な推奨が可能となる効果がある。
【００１９】
さらに請求項５の店頭カウンセリング用シートによれば、肌見本素材が、しっとり感からサラサラ感を段階的に提示するため、各肌見本素材の平均摩擦係数を異ならせたので、きめ細かい肌感性による差別化を図ることができ、化粧品の推奨に際し、より適切な推奨が可能となる効果がある。
【００２０】
さらに請求項６の店頭カウンセリング用シートによれば、肌見本素材が、ベージュ色を呈するので、より人間の皮膚に近い感覚で接することができるので違和感による抵抗がなくなり、かつ白色のものと比較して汚れが目立ちにくいなどの効果がある。
【００２１】
さらに請求項７の店頭カウンセリング用シートによれば、肌見本素材が、その各一辺が３〜８センチメートルの矩形状としたので、あまり小さすぎて肌感性を確認できないという惧れがなく、かつ大きすぎて扱いにくく、かつ材料コストを著しく上昇させることもないなどの効果がある。
【考案を実施するための最良の形態】
【００２２】
以下添付図面に基づいて、本考案に係る店頭カウンセリング用シートの実施例を詳説する。
図１は本考案店頭カウンセリング用シートの斜視図、図２は前図のＡ−Ａ線拡大断面図である。
【実施例１】
【００２３】
本考案の店頭カウンセリング用シート１は、厚紙又は樹脂製で形成されるシート板２と肌見本素材３とで構成されている。
この肌見本素材３は、シート板２に直接剥離自在に設置されても良いが、好ましくは、離型紙４を介してシート板２に設置される。離型紙４を介在させた際には、その離型紙４に複数の肌見本素材３を、接着などの方法で予め適宜の間隔で配列させて設置しておくだけで、この離型紙４が台紙となるので、この台紙ごと一度に全ての肌見本素材３の交換設置が可能となるという利点がある。
【００２４】
また肌見本素材３は、通常２〜５種類のものを備えるが、好ましくは３〜４種類程度が、商品のラインナップに対応適合するので、扱いやすく、管理もしやすい。
なお図中の符号５は、シート板２の隅部付近に開けた孔で、シート板２を複数枚綴じる際に、綴じ具（図示しない）を挿通するための綴じ具通し孔である。
【００２５】
ここで本考案で使用される肌見本素材３を説明すると、肌見本素材３は布や合成樹脂などで形成することも可能であるが、その素材を紙製とすることが好ましい。その理由は、特に布製のものと比較すると、材料調達コストが低廉となり、シート板２への取り付けも容易（布製の場合には、取り付け用の接着剤が表面に浸透し易いので見栄えや扱いに問題）となり、かつ顧客は布製のものだと指先で長時間触っている状態がかもし出され易いが、紙製であるとそのような顧客の対応もなくなり、この意味で扱いやすくなる。
【００２６】
さらにこの肌見本素材３は、しっとり感からサラサラ感を段階的に提示するように順序だてて配列されるようにしておくと、一般的に化粧品の選択基準となるお肌の種類と符合するので、顧客にとって馴染み易く、違和感のない店頭カウンセリング用シートが得られる。
【００２７】
つぎに、本考案で肌見本素材３における平均摩擦係数とは、「ヒトの皮膚表面における平均摩擦係数」（以下、平均摩擦係数又はＭＩＵともいう）のことを意味し、摩擦係数μ、すなわち、２つの物体の接触面（本考案においては、摩擦測定用プローブとヒトの皮膚の接触面を意味する）にはたらく摩擦力の大きさＦと２面を垂直に押しつけている力（垂直荷重）の大きさＰとの比、μ＝Ｆ／Ｐの、プローブを皮膚上で動かす過程における平均値のことである。すなわち、
【００２８】
【数１】
0003113876.tif 000003
（式中、Ｌはプローブの移動距離、μは摩擦係数である）等の数式で表される。
【００２９】
また、平均摩擦係数の変動係数（以下、変動係数又はＭＭＤともいう）とは、上記の平均摩擦係数の変動係数、すなわち、プローブを皮膚上で動かす過程における摩擦係数μのばらつきの程度を示す係数、例えば、
【００３０】
【数２】
0003113876.tif 000004
（式中、Ｌはプローブの移動距離、μは摩擦係数である）等の数式で表される値である。
【００３１】
平均摩擦係数と変動係数は、専用の摩擦感テスターを用いることによって把握することができる。この専用の摩擦感テスターは、皮膚上においてプローブをスライドさせて、そのスライドの過程でプローブにおいて発生する摩擦力を計測可能なタイプのテスターであることが好適である。係る摩擦力を演算処理することによって、所望する平均摩擦係数と変動係数を算出することが可能である。このようなタイプの摩擦感テスターとして、たとえば、ＫＥＳ−ＳＥ（ＫＡＴＯ  ＴＥＣＫ社製）を挙げることができる。
【００３２】
上記の手順に従い、本考案では４種類の紙製の肌見本素材３を用意し、各肌見本素材３の平均摩擦係数（ＭＩＵ）の値を計測した。その値を下記に示す。
平均摩擦係数（ＭＩＵ）の値
紙１：０．０９
紙２：０．５９
紙３：０．８９
紙４：１．１４
（しっとり感からサラサラ感へ変化するよう配列した順番に従った）
【００３３】
なお、紙１〜紙４の各紙の内訳は下記の通りである。
紙１：イレブン  ベージュ  四六判６０Ｋｇ（東海パルプ株式会社製）
紙２：Ｓベランカラーラミー  クリーム  四六判１１２Ｋｇ（特種製紙株式会社製） 
紙３：パルルック  ホワイト  プレーン  四六判１８５Ｋｇ（東京製紙株式会社製）
紙４：ウーペ  ベージュ  １０９０×８００ｍｍ  ４０５Ｋｇ（川口合成株式会社製） 
【００３４】
ここで用紙の規格について説明する。用紙の取り扱いに使われる単位は「面積」と「重量」であり、面積は用紙を使用する際、重量は商取引上不可欠な単位であり、かつ用紙の厚みを判断する単位となる。
印刷用紙は、日本工業規格（ＪＩＳ）によって、５種類（Ａ判、Ｂ判、菊判、四六判、ハトロン判の原紙寸法が規格されているが、用紙の銘柄によって製造される寸法が決まっているものもある。
用紙の売買は、規格寸法に仕上た紙１０００枚を「１連」として取引され、その１連の重量を「連量」と称している。この観点から、用紙を指定するには「四六判６０Ｋｇ」というように、紙の大きさと１０００枚の重量を表記することとなる。
【００３５】
上記の平均摩擦係数の変動係数（ＭＭＤ）の値を下記に示す。
平均摩擦係数の変動係数（ＭＭＤ）の値
紙１：０．０１
紙２：０．０１
紙３：０．０１
紙４：０．００
【００３６】
上記のようにして完成した店頭カウンセリング用を用意し、化粧品販売の店頭において、顧客に各肌見本素材３をじっくりと指先で触ってもらい、その指先の感触に従い、その肌見本素材の中で最も心地よいと感ずるものを選択してもらった。
その選択に基づき、各肌見本素材に対応した化粧品を顧客に推奨したところ、その推奨に対する顧客の満足度は大変高い結果となった。
【産業上の利用可能性】
【００３７】
本考案の店頭カウンセリング用シートは、この店頭カウンセリング用シートを使用する化粧品販売業界や、この店頭カウンセリング用シートを利用して化粧品の購入を行なう化粧品購買者において、特に利用することが可能である。
【図面の簡単な説明】
【００３８】
【図１】本考案店頭カウンセリング用シートの斜視図である。
【図２】前図のＡ−Ａ線拡大断面図である。
【符号の説明】
【００３９】
１…店頭カウンセリング用シート
２…シート板
３…肌見本素材
４…離型紙
５…綴じ具通し孔
【図１】
0003113876.tif 000005
【図２】
0003113876.tif 000006